【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
第１タイプのユーザ識別子を識別する第１アイコン及び第２タイプのユーザ識別子を識別する第２アイコンを含む確認フォームをスマートホンのディスプレイ装置に表示し、
前記確認フォームから、前記第１タイプのユーザ識別子を識別する第１アイコンを選択し、
ユーザ検証を行うための第１の画像をスマートホンに記録し、
前記確認フォームが表示される間に前記第１アイコンを不作動化し、前記第１アイコンが、前記ユーザ検証を遂行するために前記第１の画像を記録するのに応答して不作動化され、
前記確認フォームから、前記第２タイプのユーザ識別子を識別する第２アイコンを選択し、
ユーザ検証を行うために第２の画像をスマートホンに記録し、
前記確認フォームが表示される間に前記第２アイコンを不作動化し、前記第２アイコンが、前記ユーザ検証を遂行するための前記第２の画像を記録するのに応答して不作動化され、
前記ユーザ検証を行うための第１の画像及び第２の画像を前記スマートホンからアプリケーションサーバーへ伝送し、及び
前記ユーザ検証が成功であったことを示す通知を前記アプリケーションサーバーから前記スマートホンで受け取る、
ことを含む方法。
【請求項２】
前記第１タイプのユーザ識別子は、クレジットカードの前面、クレジットカードの裏面、デビットカードの前面、デビットカードの裏面、運転免許証の前面、運転免許証の裏面、パスポート、請求書、移動電話の請求書、公益事業の請求書、取引明細書、クレジットカードの取引明細書、及び銀行の預金残高証明書より成るグループから選択される、請求項１に記載の方法。
【請求項３】
前記ユーザ検証のために前記アプリケーションサーバーへ伝送された画像を前記アプリケーションサーバーが首尾良くアップロードしたことを指示する通知をスマートホンにおいて受け取ることを更に含む、請求項１又は２に記載の方法。
【請求項４】
前記ユーザ検証のために前記アプリケーションサーバーへ伝送された画像の検証を前記アプリケーションサーバーが待機していることを指示する通知をスマートホンにおいて受け取ることを更に含む、請求項３に記載の方法。
【請求項５】
前記ユーザ検証が首尾良く完了したことを指示する通知をスマートホンにおいて受け取り、
前記ディスプレイ装置に前記ユーザ検証が首尾良く完了したことを指示する通知を表示する、
ことを更に含む、請求項４に記載の方法。
【請求項６】
スマートホンにおいて支払手段データを含むユーザプロフィールを生成し、
前記ユーザ検証は、前記支払手段データを検証するために遂行される、請求項１から５のいずれかに記載の方法。
【請求項７】
前記ユーザ検証をスタートするために選択可能なアイコンを前記ディスプレイ装置に表示し、及び
前記ユーザ検証に関連した前記選択可能なアイコンを、前記スマートホンを使用して選択する、
ことを更に含み、前記ユーザ検証に関連したその選択可能なアイコンを選択することで、前記確認フォームの表示がトリガーされる、請求項１に記載の方法。
【請求項８】
第３タイプのユーザ識別子を識別する第３アイコンを前記確認フォームから選択し、
前記ユーザ検証を遂行するための第３の画像をスマートホンに記録し、
前記確認フォームが表示される間に前記第３アイコンを不作動化し、前記第３アイコンが、前記ユーザ検証を遂行するための前記第３の画像を記録するのに応答して不作動化され、
前記ユーザ検証を遂行するための第３の画像をスマートホンからアプリケーションサーバーへ伝送する、
ことを更に含む、請求項１に記載の方法。
【請求項９】
プロセッサと、
第１タイプのユーザ識別子を識別する第１アイコンを含む確認フォームを表示するように構成されたディスプレイ装置と、
前記確認フォームから、前記第１タイプのユーザ識別子を識別する前記第１アイコンと、少なくとも１つの追加のタイプのユーザ識別子のそれぞれを識別する少なくとも１つの追加のアイコンとを選択し、追加のアイコンが、追加のタイプのユーザ識別子のそれぞれを識別する、ユーザインターフェイスと、
第１のユーザ検証を遂行するための第１の画像を記録するように構成された、コンピュータ読み取り可能なデータ記憶装置と、
を備え、
前記コンピュータ読み取り可能なデータ記憶装置は、前記確認フォームが表示される間に前記第１アイコンを不作動化するために前記プロセッサで実行可能なコンピュータ読み取り可能なプログラムインストラクションを記憶し、前記第１アイコンは、前記第１のユーザ検証を遂行するために前記第１の画像の記録に応答して不動化され、更に、前記コンピュータ読み取り可能なデータ記憶装置は、前記確認フォームが表示される間に前記第２アイコンを不作動化するために前記プロセッサで実行可能なコンピュータ読み取り可能なプログラムインストラクションを記憶し、前記第２アイコンは、前記第１のユーザ検証を遂行するために前記第２の画像の記録に応答して不動化され、
前記ユーザインターフェイスは、前記確認フォームから、第２タイプのユーザ識別子を識別しる第２アイコンを選択するように構成され、
前記コンピュータ読み取り可能なデータ記憶装置は、第１のユーザ検証を遂行するための第２の画像を記録し、
ネットワークインターフェイスは、前記第１のユーザ検証を行うための前記第１の画像及び前記第２の画像をアプリケーションサーバーへ伝送し、前記第１のユーザ検証が成功であったことを示す第１の通知を前記アプリケーションサーバーから受け取るように構成される、スマートホン。
【請求項１０】
前記第１タイプのユーザ識別子は、クレジットカードの前面、クレジットカードの裏面、デビットカードの前面、デビットカードの裏面、運転免許証の前面、運転免許証の裏面、パスポート、請求書、移動電話の請求書、公益事業の請求書、取引明細書、クレジットカードの取引明細書、及び銀行の預金残高証明書より成るグループから選択される、請求項９に記載のスマートホン。
【請求項１１】
前記ディスプレイ装置は、ユーザ検証をスタートするために選択可能なアイコンを表示するように構成され、
前記ユーザインターフェイスは、ユーザ検証に関連した前記選択可能なアイコンを選択するように構成され、及び
前記ユーザ検証に関連した前記選択可能なアイコンを選択することで、前記確認フォームの表示がトリガーされる、請求項９及び１０に記載のスマートホン。
【請求項１２】
前記ユーザ検証をスタートするために選択可能な表示されたアイコンは、検証アイコンを含む、請求項１１に記載のスマートホン。
【請求項１３】
前記ネットワークインターフェイスは、前記第１のユーザ検証のために前記アプリケーションサーバーへ伝送された画像を前記アプリケーションサーバーが首尾良くアップロードしたことを指示する第２の通知を受け取るように構成される、請求項１２に記載のスマートホン。
【請求項１４】
前記ネットワークインターフェイスは、前記第１のユーザ検証のために前記アプリケーションサーバーへ伝送された画像の検証を前記アプリケーションサーバーが待機していることを指示する第３の通知を受け取るように構成される、請求項１３に記載のスマートホン。
【請求項１５】
請求項１から８のいずれかに記載の方法を実施するためにプロセッサにより実行可能なコンピュータ読み取り可能なプログラムインストラクションを含むコンピュータ読み取り可能なデータ記憶装置。